【事件の表示】
　平成１０年特許願第　６５３２４号「番組内容表示装置と番組内容表示方法」拒絶査定不服審判事件〔平成１１年　９月２８日出願公開、特開平１１−２６６４０９〕について、次のとおり審決する。
【結　論】
　本件審判の請求は、成り立たない。
【理　由】
第１　経緯  
１．手続　
　本願は、平成１０年３月１６日の出願であって、手続の概要は以下のとおりである。
　
　拒絶理由通知　　　　　　　　：平成１９年　４月１３日（起案日）
　手続補正　　　　　　　　　　：平成１９年　６月１８日
　拒絶査定　　　　　　　　　　：平成１９年　７月２４日（起案日）
　拒絶査定不服審判請求　　　　：平成１９年　８月３０日
　手続補正　　　　　　　　　　：平成１９年１０月　１日
　前置審査報告　　　　　　　　：平成２０年　１月　７日
　審尋　　　　　　　　　　　　：平成２１年１０月　６日（起案日）
　回答書　　　　　　　　　　　：平成２１年１２月１４日
　
２．査定
　原審での査定の理由２は、概略、以下のとおりである。
　本願の各請求項に係る発明は、下記刊行物に記載された発明および周知技術に基づいて当業者が容易に発明をすることができたものであるから、特許法第２９条第２項の規定により、特許を受けることができない。
　　　　　記　
刊行物１：特開平１０−０６５９８５号公報
刊行物２：特開平０９−２９８６９７号公報
刊行物３：国際公開第９７／４６００６号
刊行物４：特開平０５−０８８８１７号公報
刊行物５：特開平０８−２７２５８３号公報
刊行物６：特開平０９−２８４６７０号公報
刊行物７：国際公開第９６／０９７２１号
刊行物８：国際公開第９６／３１９８０号
　
第２　補正却下の決定 
　平成１９年１０月１日付けの手続補正（以下、「本件補正」という。）について次のとおり決定する。 
　　
《結論》
　平成１９年１０月１日付けの手続補正を却下する。
 　
《理由》 
１．本件補正の内容
　平成１９年１０月１日付けの手続補正（以下「本件補正」という）は、本件補正前、平成１９年６月１８日付け手続補正書により補正された特許請求の範囲についてする補正であり、補正前の請求項１ないし１４を、補正後の請求項１ないし８とするものである。
　
２．補正の適合性
（１）補正の範囲（第１７条の２第３項）
　本件補正は、願書に最初に添付した明細書又は図面の記載に基づくものであるから、願書に最初に添付した明細書又は図面に記載した事項の範囲内においてする補正である。
　
（２）補正の目的（第１７条の２第４項第１号〜第４号）
　本件補正は、特許法第１７条の２第４項第２号で規定する特許請求の範囲の減縮に該当すると認められる。
　
（３）独立特許要件（第１７条の２第５項）
　本件補正は、上記のとおり、特許請求の範囲の減縮を目的として含むものである。そこで検討する。
　
ア．補正後の本願発明
　
　本件補正後の請求項８に記載される発明（以下「本件補正発明」という）は、以下のとおりのものである。
　
【請求項８】　
　番組データの内の現在放送中の番組のタイトルを示す現在番組表と、
　所定の期間内に放送する番組のタイトルを示す所定期間番組表とを選択的に表示させ、
　現在番組表と所定期間番組表にはそれぞれチャンネルをソートするためのチャンネル条件設定部と番組のジャンルをソートするためのジャンル設定部と番組名を表示するためのタイトル部を有する番組名表示部を備えるように表示手段に表示するように制御する表示制御手段と、
　前記チャンネル条件設定部に表示された複数のチャンネルを含む複数の項目の中から１つの項目を、または、前記ジャンル設定部に表示された複数のジャンルの項目の中から１つの項目を、ソートするため選択する選択手段と
を備え、
　前記表示制御手段は、前記タイトル部で表示されている番組が継続して放送される場合、前記タイトル部の端部にエッジを設けずに表示するように制御する
　ことを特徴とする番組内容表示装置。
　
イ．刊行物１の記載
　
　原査定の拒絶の理由で引用された特開平１０−０６５９８５号公報（以下「刊行物１」という）には、図面とともに、以下の事項が記載されている。
  　
【０００１】
【発明の属する技術分野】この発明は、テレビ放送システムにおける番組案内表示制御装置およびテレビジョン受像機に関する。
【０００２】
【従来の技術】米国で実用化されているＤＳＳ（デジタル衛星放送システム）においては、１５０以上の多数のチャンネルが用意されており、多数の番組が提供されている。このシステムでは、現在放送されている番組および将来放送される番組の案内情報が本来の番組データとともに所定時間間隔で伝送されている。ユーザ側端末は、番組案内情報に基づいて、番組案内画面（番組案内表）を表示する機能を備えている。
【０００３】ユーザ側端末には、図８に示すように、受信された全番組案内情報に対応する全番組案内表Ｅの一部の番組案内表ｅが番組案内画面として表示される。番組案内画面には、縦軸をチャンネル番号軸とし、横軸を時間軸として、複数の番組案内がマトリックス状に表示される。この例では、番組案内画面には、５つのチャンネルに対する番組であって、２時間半分の番組が表示される。左端には、チャンネル番号が縦に並んで表示されている。そして、各チャンネルに対応した行に、そのチャンネルによって放送される各番組の時間帯を示す枠が表示されており、各枠内にタイトル名（Ａ〜Ｐ）が表示されている。
【０００４】番組案内画面上には、番組を指定したり、番組案内画面をスクロールさせたりするためのカーソルが表示される。このカーソルの移動は、左、右、上、下の各方向ごとに設けられた４つのカーソル移動キーを操作することによって行なわれる。上または下方向移動のためのカーソル移動キーを操作するごとに、カーソルは、１チャンネル単位で移動する。また、左または右方向移動のためのカーソル移動キーを操作するごとに、カーソルは、所定時間単位で移動する。
【０００５】
【発明が解決しようとする課題】ところで、番組案内画面に表示される番組案内を、ユーザの好みに応じて限定することができれば便利である。そこで、番組案内画面に表示される番組案内のカテゴリーを限定したり、番組案内画面に表示される番組案内のチャンネルを限定したりする機能をユーザ側端末に持たせることが考えられる。
【０００６】このような場合には、メニュー画面に、カテゴリーの設定、チャンネルの設定等の設定項目が表示され、メニュー画面上から所定の設定項目を指定することにより、カテゴリー設定、チャンネル設定等が行なわれる。
【０００７】この発明は、メニュー画面と番組案内画面との両方を同時に表示でき、かつアクティブとなっている画面とアクティブとなっていない画面とを視覚的に識別可能に表示できる番組案内表示制御装置およびテレビジョン受像機を提供することを目的とする。　
【００１４】図１は、ユーザ側端末の構成を示している。
【００１５】ユーザ側端末としては、テレビジョン受像機と番組案内表示制御装置とが組み合わされたもの、または番組案内表示制御回路が組み込まれたテレビジョン受像機が用いられる。ユーザ側端末は、ユーザ側端末全体を制御するためのＣＰＵ６を備えている。ＣＰＵ６は、そのプログラムおよび必要なデータを記憶する記憶装置９を備えている。ＣＰＵ６には、リモートコントローラ等からなる操作部５が接続されている。
【００１６】ＣＰＵ６は、操作部５によって選択された番組を表示するためにチューナ２を制御するとともにテレビ放送画像上に重ねて表示されるオンスクリーン画像を生成するためのオンスクリーン画像生成回路４を制御する。オンスクリーン画像には、メニュー画面および番組案内画面が合体した画面、メニュー画面に対する各階層の画面、番組案内画面に対する各階層の画面等がある。
　
【００２２】操作部５には、メニュー画面をアクティブにするためのメニューキー１１、番組案内画面をアクティブにするためのガイドキー１２、メニュー画面および番組案内画面を消去するためのＥｘｉｔキー１３、カーソルを左右方向および上下方向に移動させるための４つのカーソル移動キー１４Ｌ、１４Ｒ、１４Ｕ、１４Ｄ、選択入力を行なうためのセレクトキー１５、チャンネルを上方向または下方向に変更するためのチャンネルＵＰ／ＤＯＷＮキー１６Ｕ、１６Ｄ等が設けられている。
【００２３】〔２〕オンスクリーン画像についての説明
【００２４】操作部５のメニューキー１１またはガイドキー１２が押された場合には、図２または図３に示すように、メニュー画面３１と番組案内画面３２とが合体された画面が、オンスクリーン画像として表示される。メニュー画面３１には、番組案内画面に表示される番組案内のチャンネルを限定するためのチャンネル設定ボタン４１、番組案内画面に表示される番組案内のカテゴリーを限定するためのカテゴリー設定ボタン４２、番組案内画面に表示される番組案内の開始時刻を設定するための時間帯設定ボタン４３およびその他の設定を行なうためのボタン４４が表示されている。
【００２５】操作部５のメニューキー１１が押された場合には、図２に示すように、メニュー画面３１がアクティブとなり、番組案内画面３２が非アクティブとなる。操作部５のガイドキー１２が押された場合には、図３に示すように、番組案内画面３２がアクティブとなり、メニュー画面３１が非アクティブとなる。図２および図３においてハッチングが入れられている方が、アクティブであることを示している。
【００２６】このように、操作部５のメニューキー１１またはガイドキー１２が押された場合には、メニュー画面３１と番組案内画面３２とが一体的になった画面が表示されるが、カーソルはアクティブである画面内においてのみ移動可能であり、アクティブである画面から、非アクティブの画面へは移動できない。
　
ウ．刊行物１に記載された発明                                                     　
（ア）番組案内表について 　
　刊行物１の【０００１】の記載によれば、刊行物１の番組案内は「テレビ放送システムにおける番組案内」に関するものであり、【０００３】の記載によれば、番組案内画面として表示される番組案内表は、「受信された全番組案内情報に対応する全番組案内表Ｅの一部の番組案内表ｅが番組案内画面として表示され」、「縦軸をチャンネル番号軸とし、横軸を時間軸として、複数の番組案内がマトリックス状に表示され」、「各チャンネルに対応した行に、そのチャンネルによって放送される各番組の時間帯を示す枠が表示されており、各枠内にタイトル名（Ａ〜Ｐ）が表示され」るものである。
　また、【０００２】の記載によれば「現在放送されている番組および将来放送される番組の案内情報が本来の番組データとともに所定時間間隔で伝送され・・・番組案内情報に基づいて、番組案内画面（番組案内表）を表示する」から番組データ内に含まれる番組案内情報に基づき番組案内表を表示するものである。
　さらに、【０００４】の記載によれば、「番組案内画面をスクロールさせたりするためのカーソルが表示され」、「左または右方向移動のためのカーソル移動キーを操作するごとに、カーソルは、所定時間単位で移動」するものであり、上記記載に図８を参酌すると、表示される番組案内画面は、このような移動キーの操作により、全番組案内表のうち、所定の時間分を表示しているものであることが理解できる。
 　
（イ）メニュー画面について
　刊行物１の【０００６】の記載によれば、メニュー画面は、「カテゴリーの設定、チャンネルの設定等の設定項目が表示され、メニュー画面上から所定の設定項目を指定することにより、カテゴリー設定、チャンネル設定等が行なわれる」ようにするものであり、【０００７】の記載によれば「メニュー画面と番組案内画面との両方を同時に表示でき・・・る番組案内表示制御装置およびテレビジョン受像機」である。
　
（ウ）カテゴリー設定ボタンについて
　刊行物１の【０００５】、【０００６】の記載によれば、カテゴリーの設定とは「番組案内画面に表示される番組案内を、ユーザの好みに応じて限定すること（番組案内画面に表示される番組案内のカテゴリーを限定したり、番組案内画面に表示される番組案内のチャンネルを限定したりする機能）」の一つであり、「メニュー画面に、カテゴリーの設定・・・等の設定項目が表示され、メニュー画面上から所定の設定項目を指定することにより、カテゴリー設定・・・等が行なわれる。」ものであり、具体的な「カテゴリーの設定・・・等の設定項目」の表示は、【００２４】の記載によれば、「メニュー画面３１と番組案内画面３２とが合体された画面が、オンスクリーン画像として表示され」、「メニュー画面３１には、・・・、番組案内画面に表示される番組案内のカテゴリーを限定するためのカテゴリー設定ボタン４２、・・・が表示されている。」ような構成となっている。
　また、【００２２】の記載によれば、カーソルを左右方向および上下方向に移動させるための４つのカーソル移動キー、選択入力を行なうためのセレクトキー１５を操作部に設けたものである。
　
（エ）番組案内表示制御装置およびテレビジョン受像機について
　刊行物１の【０００１】の記載によれば、刊行物１のものは番組案内表示制御装置およびテレビジョン受像機である。
　
（オ）まとめ
　上記（ア）〜（エ）によれば、刊行物１に記載された発明（以下、「引用発明」という。）として、以下のとおりのものを認定することができる。
　
　テレビ放送システムにおける、番組データ内に含まれた番組案内情報に基づき、放送される各番組のタイトル名（Ａ〜Ｐ）が、移動キーの操作により、全番組案内表のうち、所定の時間分表示される番組案内画面をマトリックス状で表示するものであり、
　メニュー画面と番組案内画面とが合体された画面が、オンスクリーン画像として表示され、
　上記番組案内画面と合体されたメニュー画面には、ユーザの好みに応じて番組案内画面に表示される番組案内のカテゴリーを限定するカテゴリー設定ボタンが表示され、
　タイトル名を表示する表示部を有するように表示手段に表示し、
　カテゴリー設定ボタンを指定することにより、カテゴリー設定を行い、番組案内画面に表示される番組案内のカテゴリーを限定し、
　カーソルを左右方向および上下方向に移動させるための４つのカーソル移動キー、選択入力を行なうためのセレクトキーを設けた操作部を有する
　番組案内表示制御装置およびテレビジョン受像機。
 　
エ．対比
　本件補正発明と引用発明とを対比する。
　
（ア）「番組データの内の現在放送中の番組のタイトルを示す現在番組表と、所定の期間内に放送する番組のタイトルを示す所定期間番組表とを選択的に表示させ」
　
　引用発明の番組案内画面とメニュー画面とが合体された画面はテレビシステムにおける放送される各番組のタイトル名がマトリックス状で表示される部分を含んでおり番組表といえる。
　また、番組案内画面は番組データ内に含まれる番組案内情報に基づき表示されるものであるから、上記タイトル名は番組データ内の番組のタイトルである。
　そして、引用発明の「移動キーの操作により、全番組案内表のうち、所定の時間分表示される番組案内画面」は、上記表示されている所定の時間内に放送される各番組のタイトル名を表示するものであるから、「所定の期間内に放送する番組のタイトルを示す所定期間番組表」ということができる。
　したがって、引用発明は、「番組データ内の所定の期間内に放送する番組のタイトルを示す所定期間番組表を表示する」ものである点で本件補正発明と一致する。
　もっとも、引用発明は「番組データの内の現在放送中の番組のタイトルを示す現在番組表」を表示することが無く、したがって、二つの番組表（番組データの内の現在放送中の番組のタイトルを示す現在番組表と、所定の期間内に放送する番組のタイトルを示す所定期間番組表）を選択的に表示する構成を有していない点で本件補正発明と相違する。
　
（イ）「現在番組表と所定期間番組表にはそれぞれチャンネルをソートするためのチャンネル条件設定部と番組のジャンルをソートするためのジャンル設定部と番組名を表示するためのタイトル部を有する番組名表示部を備えるように表示手段に表示するように制御する表示制御手段」
　
　引用発明は所定期間番組表を表示するものではあるが、現在番組表を表示しないことは、上記（ア）にて対比したとおりである。
　
「ソート」について、本件明細書を参酌すると、以下のとおりの記載がある。
　
　　　【００３９】
　図１３は、すでに一つジャンルが選ばれている場合に、別のジャンルで決定を押すとすでに選ばれているジャンルを無効にして、新しく選ばれたジャンルを有効にする状態を示している。
ジャンルを決定すると、たとえば図９に示すチャンネルの番組の中から、決定したジャンルの番組のみをソートして、図６の番組名表示部８２に表示する。ジャンルが一つも選ばれていない時には、チャンネル選択部８３で選ばれたチャンネルのすべての番組を表示する
　
　一般的な技術用語として「ソート」は順番を並び替えることを意味するが、上記【００３９】の記載から見て、本件特許出願においては、すべての番組の中から、ジャンルを決定すると決定したジャンルの番組のみを表示すること、すなわち、決定したジャンル等のチャンネルのみを選択して表示することを「ソート」と称しているものと認める。
　すなわち、本件補正発明の「チャンネルをソートするためのチャンネル条件設定部」、「番組のジャンルをソートするためのジャンル設定部」とは表示手段に表示された、「決定した条件により番組表に表示する番組名をソート（限定）するための条件を表示した領域」のことを指すものであると認めることができる。
　一方、引用発明は、番組案内画面と合体されたメニュー画面に表示されたカテゴリー設定ボタンを指定することにより、カテゴリー設定を行い、番組案内画面に表示される番組案内のカテゴリーを限定し、設定したチャンネルのみを選択して表示する（すなわちソートする）ものである。
　すなわち、引用発明は「カテゴリー設定ボタンを操作し、カテゴリー設定を行い、設定された条件により番組表に表示する番組名を限定（ソート）するためのカテゴリー設定ボタンを表示した領域」を有している。
　してみると、本願発明の「チャンネルをソートするためのチャンネル条件設定部」、「番組のジャンルをソートするためのジャンル設定部」と引用発明の「カテゴリー設定ボタンを表示した領域」とは、いずれも、「設定した条件により番組表に表示する番組名をソートするための設定部」といえるものであって、この点で対応する。
　もっとも、本件補正発明のソートするための設定部は「それぞれチャンネルをソートするためのチャンネル条件設定部と番組のジャンルをソートするためのジャンル設定部」であるのに対し、引用発明のソートするための設定部は、「カテゴリー設定ボタンを表示した領域」である点で相違する。
　また、引用発明は、「放送される各番組のタイトル名を表示」しているから、「番組名を表示するタイトル部を有する番組名表示部」を備えることは明らかである。
　そして、引用発明は、番組案内画面とメニュー画面を合体した画面に、上記カテゴリー設定ボタンを表示した領域とタイトル名を表示した領域とを有しているから、所定期間番組表に、設定部とタイトル名を表示している点では相違がない。
　引用発明は、メニュー画面と番組案内画面との両方を同時に表示でき・・・る番組案内表示制御装置およびテレビジョン受像機であるから、上記表示のための制御は「番組案内表示制御装置」にてなされることは明らかであり、この「番組案内表示制御手段」は表示制御手段といえるものである。
　以上のことから見て、引用発明は「所定期間番組表に、設定した条件により番組表に表示する番組名をソートするための設定部、番組名を表示するタイトル部を有する番組名表示部を備えるように表示手段に表示するように制御する表示制御手段」を有している点で、本件補正発明と一致する。
　もっとも、本件補正発明は、上記「所定期間番組表に」、「設定した条件により番組表に表示する番組名をソートするための設定部」が「現在番組表と所定期間番組表には」、「それぞれチャンネルをソートするためのチャンネル条件設定部と番組のジャンルをソートするためのジャンル設定部」であるのに対し、引用発明は「所定期間番組表に」、「カテゴリー設定ボタンを表示した領域」である点で相違する。
　
（ウ）「前記チャンネル条件設定部に表示された複数のチャンネルを含む複数の項目の中から１つの項目を、または、前記ジャンル設定部に表示された複数のジャンルの項目の中から１つの項目を、ソートするため選択する選択手段」
　
　本件補正発明の「ソートするため選択する選択手段」の「ソートするため」とは、（ユーザが選択を行うと、）決定した「チャンネル条件」、「ジャンル」の番組のみを選択して表示することをいうことは、上記（イ）にて検討したとおりである。
　これらの点から見て、本件補正発明の「前記チャンネル条件設定部に表示された複数のチャンネルを含む複数の項目の中から１つの項目を、または、前記ジャンル設定部に表示された複数のジャンルの項目の中から１つの項目を、ソートするため選択する選択手段」は、「表示された設定部の項目を、番組の表示をソートするために操作する操作手段」といえるものである。
　一方、引用発明は、「表示されたカテゴリー設定ボタン（の項目）を指定することにより、カテゴリー設定を行い、番組案内画面に表示される番組案内のカテゴリーをユーザの好みに応じて限定し、設定したチャンネルのみをソートして表示する」ものである。上記指定をどのように行うか具体的な記載はないが、図２、図３に記載されるようなカテゴリー設定ボタンが表示されている領域にある、「チャンネル」、「カテゴリ」、「時間帯」、「その他」の中から「カテゴリ設定ボタン（の項目）」を指定するためには、カーソルを左右方向および上下方向に移動させるための４つのカーソル移動キー、選択入力を行なうためのセレクトキーを設けた操作部を利用することは当業者であれば普通に推測し得たことである。してみると、上記操作部は「表示された設定部の項目を、番組の表示をソートするために操作する操作手段」といえるものである。
　したがって、本件補正発明と引用発明とは「表示された設定部の項目を、番組の表示をソートするために操作する操作手段」の点で相違がない。
　もっとも、本件補正発明の「表示された設定部の項目」、「操作する操作手段」は、それぞれ、「前記チャンネル条件設定部に表示された複数のチャンネルを含む複数の項目の中から１つの項目を、または、前記ジャンル設定部に表示された複数のジャンルの項目の中から１つの項目」、「選択する選択手段」であるのに対し、
　引用発明の「表示された設定部の項目」、「操作する操作手段」は、それぞれ、「表示されたカテゴリー設定ボタン」、「指定する指定手段」である点で相違する。
　
（エ）「前記表示制御手段は、前記タイトル部で表示されている番組が継続して放送される場合、前記タイトル部の端部にエッジを設けずに表示するように制御する」
　
　引用発明は、タイトル名が表示される部分において、端部にエッジを設けない構成を有していないから、「前記表示制御手段は、前記タイトル部で表示されている番組が継続して放送される場合、前記タイトル部の端部にエッジを設けずに表示するように制御する」の構成を有していない点で、本件補正発明と相違する。
　
（オ）「番組内容表示装置」
　引用発明は、「番組案内表示制御装置およびテレビジョン受像機」であるから、番組案内表示制御装置により制御された番組案内がテレビジョン受像器に表示されるものであり、すなわち、テレビジョン受像器が番組案内表示装置であることは明らかである。
　したがって、引用発明は「番組内容表示装置」に係る発明であるといえる。
　
オ．一致点、相違点　
　
　以上の対比によれば、本件補正発明と引用発明とは、以下の一致点で一致し、相違点で相違する。
　
《一致点》
　番組データの内の所定の期間内に放送する番組のタイトルを示す所定期間番組表を表示させ、
　所定期間番組表に、設定した条件により番組表に表示する番組名をソートするための設定部、番組名を表示するタイトル部を有する番組名表示部を備えるように表示手段に表示するように制御する表示制御手段と、
　表示された設定部の項目を、番組の表示をソートするために操作する操作手段、
を備える、
　番組内容表示装置。
　
《相違点》
（ア）相違点１
　本件補正発明は、「番組データの内の現在放送中の番組のタイトルを示す現在番組表と、所定の期間内に放送する番組のタイトルを示す所定期間番組表とを選択的に表示させ」るものであるのに対し、引用発明は、「番組データの内の現在放送中の番組のタイトルを示す現在番組表」を表示することが無く、したがって、二つの番組表（番組データの内の現在放送中の番組のタイトルを示す現在番組表と、所定の期間内に放送する番組のタイトルを示す所定期間番組表）を選択的に表示させる構成を有していない点。
（イ）相違点２
　本件補正発明は、上記「所定期間番組表に」、「設定した条件により番組表に表示する番組名をソートするための設定部」が「現在番組表と所定期間番組表には」、「それぞれチャンネルをソートするためのチャンネル条件設定部と番組のジャンルをソートするためのジャンル設定部」であるのに対し、引用発明は「所定期間番組表に」、「カテゴリー設定ボタンを表示した領域」である点。
（ウ）相違点３
　本件補正発明の「表示された設定部の項目」、「操作する操作手段」は、それぞれ、「前記チャンネル条件設定部に表示された複数のチャンネルを含む複数の項目の中から１つの項目を、または、前記ジャンル設定部に表示された複数のジャンルの項目の中から１つの項目」、「選択する選択手段」であるのに対し、
　引用発明の「表示された設定部の項目」、「操作する操作手段」は、それぞれ、「表示されたカテゴリー設定ボタン」、「指定する指定手段」である点。
（エ）相違点４
　本件補正発明は「前記表示制御手段は、前記タイトル部で表示されている番組が継続して放送される場合、前記タイトル部の端部にエッジを設けずに表示するように制御する」のに対し、引用発明は、そのような構成を有していない点。
　
カ．判断
　上記各相違点について検討する。
（ア）相違点１について
　番組表を表示する表示の態様として、「番組データの内の現在放送中の番組のタイトルを示す現在番組表と、所定の期間内に放送する番組のタイトルを示す所定期間番組表とを選択的に表示する」ことは、例えば、
　特開平７−２８４０３５号公報（図１７に放送中番組一覧が、図１９に全チャンネル一覧が表示されることが記載されており、これらが選択的に表示されることが図５及びその発明の詳細な説明からも明らかである。）、
　特開昭６２−６０３７７号公報（具体的な表示画面の態様は記載がないが、図１０及びそれに関する発明の詳細な説明を参酌すると、所定の日にちあるいは曜日の番組表と現在放送中の番組表とを選択的に表示していることが記載されている。）　　
　等に記載されるとおり、本件出願前周知の技術事項であり、引用発明の「所定期間番組表」のみを表示する表示の態様に換えて、周知の「番組データの内の現在放送中の番組のタイトルを示す現在番組表と、所定の期間内に放送する番組のタイトルを示す所定期間番組表とを選択的に表示する」構成を採用することは当業者が容易になしえたことである。
　
（イ）相違点２，３について
（イ−ａ）　本件補正発明は、上記「所定期間番組表に」、が「現在番組表と所定期間番組表には」であるのに対し、引用発明は「所定期間番組表に」である点
　
　引用発明の番組案内画面が、本件補正発明の所定期間番組表に対応していることは、上記「エ．対比」の（ア）にて検討したとおりであり、引用発明において、現在番組表と所定期間番組表とを選択的に表示することは相違点１にて検討したとおり、当業者が容易になしえたことである。
　
（イ−ｂ）『「設定した条件により番組表に表示する番組名をソートするための設定部」、「表示された設定部の項目」、「操作する操作手段」が、
本件補正発明は、それぞれ、「それぞれチャンネルをソートするためのチャンネル条件設定部と番組のジャンルをソートするためのジャンル設定部」、「前記チャンネル条件設定部に表示された複数のチャンネルを含む複数の項目の中から１つの項目を、または、前記ジャンル設定部に表示された複数のジャンルの項目の中から１つの項目」、「選択する選択手段」であるのに対し、
引用発明は、それぞれ「カテゴリー設定ボタンを表示した領域」、「表示されたカテゴリー設定ボタン」、「指定する指定手段」である点』について
　
　刊行物３の記載
　
　原査定の拒絶の理由で引用された刊行物３（国際公開第９７／４６００６号）には、図面とともに、以下の事項が記載されている。
　
（ｉ−１）本発明は、番組ガイド制御装置に関する。特に、本発明は多くの番組に関する情報を迅速且つ正確に得ることができるようにした番組ガイド制御装置に関する。（明細書１頁４−６行）
  　
（ｉ−２）図５Ａは、ＥＰＧを概念的に示す図である。このＥＰＧにおいて、シリンダ２５は、円柱の軸方向に図面の左から右に順に領域２５Ｘ、２５Ｙ、２５Ｚの３つの領域に区分されている。また、シリンダ２５の円周面の一部である表示領域２６は、図３に示すモニタ装置１９の表示画面に対応している。
　図５Ｂは、このシリンダ２５の領域２５Ｘ、２５Ｙ、２５Ｚを平面状に展開したものである。シリンダ２５の３つに区分された領域のうちの最も左側に配置されている領域２５Ｘには、１週間分の日付、曜日、及び時刻が、日付及び時刻の若い順に、図面の上から下に配列されている。
　３つの領域のうちの中央に配置されている領域２５Ｙには、現在放送中の番組又は今後放送される番組のタイトル名等が、チャンネル番号の若い順、かつ放送開始時刻の早い順に、上から下に配列されている。
　３つの領域のうちの最も右側に配置されている領域２５Ｚには、例えば、「全部」、「映画」、「スポーツ」、「ニュース」、「音楽」等の番組の範疇による分類項目、すなわちジャンル名が、上から下に配列されている。ここで「全部」は、「映画」、「スポーツ」等のジャンルに関係なく全ての番組を包括するものである。
　特に、本発明の実施例においては、この番組のジャンルに対応する領域２５Ｚに、上述のジャンル以外に「選局チャンネル」、「好みチャンネル」、「お気に入り番組」の項目を設けている。この「選局チャンネル」は、この電子番組ガイド制御装置において、チューナ１１により現在選局されてモニタ装置１９に表示されているチャンネルに関する情報である。（明細書１２頁５行−１３頁５行）
　
（ｉ−３）３．電子番組ガイドの表示形態
　次に、図７Ａ〜図９Ｃを参照して、本実施例におけるＥＰＧの表示の形態について説明する。
　図７Ａ〜図７Ｄは、それぞれ図５に示すシリンダ２５の具体的な表示形態として図３に示すモニタ装置１９の表示画面５３上に表示されるＥＰＧの一例を示す図である。なお、これらの図７Ａ〜図７Ｄでは、番組表５０を画面５３一杯に表示した例を示している。
　これらの図７Ａ〜図７Ｄに示す番組表５０おいては、日時が表示される領域２５Ｘは、さらに日付及び曜日が表示される領域２５Ｘ１と、時刻が表示される領域２５Ｘ２とに分割されている。
　また、各領域２５Ｘ１、２５Ｘ２、２５Ｙ、２５Ｚには、ユーザが、図３に示す操作部１４（図６に示すリモートコントローラ１４Ａ）を操作することによって移動可能なカーソル（領域２５Ｘ１のカーソル５１Ｘ１、領域２５Ｘ２のカーソル５１Ｘ２、領域２５Ｙのカーソル５１Ｙ、領域２５Ｚのカーソル５１Ｚ）が表示されている。そして、この実施例においては、ジャンルを表示する領域２５Ｚにおいて、放送チャンネルに関する情報として選局チャンネル５２の項目を設けている。（明細書１６頁１７行−１７頁１１行）
　
（ｉ−４）また、ジャンルが表示されている領域２５Ｚにおいては、カーソル５１Ｚが「全部」に配置されている。したがって、領域２５Ｙには特定のジャンルに関わらず、３日、日曜日の午前８時以降に放送される全番組のタイトルが、チャンネル番号及び放送時間とともに表示されている。この領域２５Ｙには、できるだけ多くの番組のタイトルが表示されるようにしている。（明細書１７頁１９−２４行）
   　
（ｉ−５）このように、この実施例においては、領域２５Ｚでジャンル指定操作を行うことで、「映画」や「ニュース」等の番組の区別であるジャンル毎に番組候補を把握できることに加えて、放送が予定されている番組を放送チャンネル単位で把握することができる。（明細書２３頁２１−２４行）
　　
（ｉ−６）５．好みチャンネル
　上述の実施例においては、放送チャンネルに関する情報として、現在選局されている放送チャンネル番号を示す選局チャンネル５２を領域２５Ｚに表示するように構成されていたが、以下に説明する他の実施例としての電子番組ガイド（ＥＰＧ）表示では、選局チャンネル５２に加えて、所望の放送チャンネルに関する番組の情報を迅速に得るための「好みチャンネル」の項目を領域２５Ｚに設けている。なお、領域２５Ｚにおいて選局チャンネル５２を設けずに、「好みチャンネル」の項目を設けるようにしてもよい。
　図１２は、他の実施例として、「好みチャンネル」の項目を設けた番組表５０の表示例を示している。なお、図１２において図７Ａ〜図７Ｄ及び図８Ａ〜図８Ｈと同一部分には同一符号を付して説明を省略する。
　この実施例においては、図１２に示す番組表５０の領域２５Ｚに示すように、好みチャンネル５６の項目が設けられる。好みチャンネル５６の項目は、ユーザが任意に登録した所望のチャンネルの番組に対応するものである。この実施例では、ユーザは、例えばこの実施例の電子番組ガイド制御装置１０で受信が可能な放送チャンネルのうちから、次に説明するようにして所望の放送チャンネルを選択して、選択した放送チャンネルを「好みチャンネル」として登録することができるようになっている。（明細書３８頁１１行−３９頁８行）
　
（ｉ−７）そして、図１３Ｂに示すように、１０９チャンネルのチャンネル項目５８にカーソル６１を配置させた状態において、ユーザがセレクトボタンスイッチ４７を操作したとする。これにより、１０９チャンネルと表示されたチャンネル項目５８に対して、このチャンネルが「好みチャンネル」として登録されたことを示すチェックマーク６２が付される。
　なお、一旦付されたチェックマーク６２を消去する場合には、例えば、チェックマーク６２を消去したいチャンネル項目５８にカーソル６１を配置させた状態でセレクトボタンスイッチ４７を再度操作するようにする。
　この図１３Ｂには、上記したような操作により、チャンネル番号１０１チャンネル、１０８チャンネル、１０９チャンネル、１２７チャンネル、１２８チャンネルの少なくとも５つの放送局が「好みチャンネル」として登録されていることを示している。
　なお、現在表示中のページにユーザが所望する放送チャンネルが存在しないときには、例えば、ユーザはカーソル移動キーの操作によって、前ページ項目５９又は次ページ項目６０にカーソル６１を移動させてセレクトボタンスイッチ４７を操作する。これにより、これまで表示されていたページの前ページ又は次ページのチャンネル登録画面５７が表示されるので、ユーザは、このようにして新たに表示されたチャンネル登録画面５７のページから所望の放送チャンネルを選択することができる。
　そして、ユーザが「好みチャンネル」の登録を終了して、例えば通常のテレビジョン画像の画面やＥＰＧの画面等に表示を切り換えたいときには、例えばメニューボタンスイッチ３８を操作して所望の画面に切り換えるよう。
　図１４は、番組表５０が表示された状態において、領域２５Ｚにおける好みチャンネル５６にカーソル５１Ｚを配置させて、好みチャンネル５６を指定した状態を示す図である。なお、図１４には、番組表５０の領域２５Ｙが選択されてカーソル５１Ｙが移動操作可能な状態が示されている。
　このように好みチャンネル５６が指定された状態では、領域２５Ｙには、例えば「好みチャンネル」として登録された放送チャンネルにより放送される番組のみが、放送開始時刻順に表示される。なお、この図１４の領域２５Ｙにおいて各番組タイトルの項目毎に示されている二重破線部分は、実際には、図１２の場合と同様にステーションロゴが示されている。
　具体的には、図１３Ｂにて説明したように、チェックマーク６２が付された５つの放送チャンネルが「好みチャンネル」として登録されている場合、１０１チャンネル、１０８チャンネル、１０９チャンネル、１２７チャンネル、１２８チャンネルの放送チャンネルにより放送される全番組のタイトルが領域２５Ｙに放送開始時刻順に表示される。図１４にはこの表示状態が示されている。
　そして、ユーザは番組表５０の領域２５Ｙに表示されている番組タイトルを見ながら、ユーザ自身が登録した好みの放送チャンネルにより視聴できる番組の中から所望の番組を選択することができる。
　一般的に、一人のユーザが主に視聴する放送チャンネルは、幾つかに限定されるものである。上述のように、この実施例では、領域２５Ｚに、放送チャンネルに関連する情報として「好みチャンネル」の項目を設けることにより、ユーザが頻繁に視聴する放送チャンネルについて「好みチャンネル」として登録しておくことができ、ＥＰＧの使い勝手を更に向上することができる。（明細書４０頁１６行−４２頁１７行）
　
　以上の記載によれば、刊行物３には番組ガイド制御装置に関するものであり、上記制御装置によって、番組ガイドとして表示される画面には「日付の表示領域」、「タイトル名等が表示される領域」、「ジャンル名が表示される領域」が設けられている発明が記載されている。
　特に、上記ジャンル名が表示される領域について更に検討すると、ジャンルには「映画」、「スポーツ」、「ニュース」、「音楽」等があり、ジャンル指定の操作を行うことで、「映画」や「ニュース」等の番組の区別であるジャンル毎に番組候補を把握でき、更に「全部」の分類項目をカーソルで指定すると、ジャンルに関係なく全ての番組が、タイトル名等が表示される領域に表示されることも記載されている。
　それに加えて、ジャンル名が表示される領域には「好みチャンネル」の項目を設け、当該項目にカーソルを配置して指定すると、受信が可能な放送チャンネルのうちから、ユーザが選択・登録したチャンネルのみにより放送される全番組のタイトルが表示されることが記載されている。
　そして、これらの指定はリモートコントローラを操作することによってなされるものである。
　
　本件補正発明の「チャンネル条件設定部」について発明の詳細な説明を参酌すると、
　
「（３）チャンネル選択部（チャンネル条件設定部）８３
　図６のチャンネル選択部８３は、
番組名表示部８２に選択されるチャンネルを決定するボタンを表示している。テレビチャンネル決定ボタン８３Ａは例えばテレビチャンネルを選択でき、その他好みのチャンネルを決定するボタン
などを有している
　
「次に、図９と図１０を参照する。図９は、チャンネル選択部８３とジャンル設定部８４を拡大して示している。
テレビチャンネル８３ＴがカーソルＫにより選択されると、映像のある番組をチャンネル順に図６の番組名表示部８２に並べることができる。好みのチャンネル８３Ｓをカーソル８４で選択すると、ユーザが好みのチャンネル設定で選んだチャンネルを番組名表示部８２にチャンネル番号順に並べることができる。
  　
　と記載されており、番組表示名表示部に選択（表示）されるチャンネルを決定するボタンであり、テレビチャンネルを選択する「テレビチャンネル決定ボタン」と「好みのチャンネルを決定するボタン」とを有している部分のことをチャンネル条件設定部と定義し、チャンネル条件設定部にある、「テレビチャンネル」のボタンは映像のある番組をチャンネル順に番組名表示部に並べるものであり、「好みのチャンネル」のボタンはユーザが好みのチャンネル設定で選んだチャンネルを番組名表示部に並べるものである。
　
　以上の記載から見て、刊行物３に記載された上記技術事項と、上記（イ−ｂ）にて抽出した相違点とを対比すると、
　本件補正発明の『それぞれチャンネルをソートするためのチャンネル条件設定部と番組のジャンルをソートするためのジャンル設定部』、『前記チャンネル条件設定部に表示された複数のチャンネルを含む複数の項目の中から１つの項目を、または、前記ジャンル設定部に表示された複数のジャンルの項目の中から１つの項目』、『選択する選択手段』は、
刊行物３の「ジャンル名が表示される領域」にある『「全部」の項目及び「好みチャンネル」の項目と「映画」、「スポーツ」、「ニュース」、「音楽」等の項目』、『「全部」の項目及び「好みチャンネル」の中からいずれかの項目を、または、「映画」、「スポーツ」、「ニュース」、「音楽」等の項目の中から１つの項目』、『指定するリモートコントローラ』に対応する。
　したがって、上記相違点（イ−ｂ）に係る構成は、刊行物３に記載されており、引用発明において、カテゴリー設定ボタンを表示し、当該カテゴリー設定ボタンを（番組の表示を限定するために）操作することに代えて、刊行物３に記載された各項目を表示し、各項目からいずれかをカーソルにより（番組の表示を限定するために）選択するようにすることは、引用発明と刊行物３に記載された発明はともに番組表のソートの設定に関する技術であることからみて当業者が容易になしえたことである。
　
（ウ）相違点４について
　本件補正発明の「タイトル部の端部にエッジを設けず」について発明の詳細な説明を参酌すると、
「　　　【００４６】
　図１９は、図１６の番組名表示部１８２の画面端での処理の一例を示している。番組名表示部１８２のタイトル部１８２Ａの端部にはエッジ１８２Ｇ，１８２Ｆが設けられている。つまりタイトル部１８２Ａの始まる部分ではエッジ１８２Ｇが形成され、タイトル部１８２Ａの終わる部分ではエッジ１８２Ｆが形成されている。あるタイトルを表示するタイトル部１８２ＡがたとえばＰＭ１０：００丁度に始まる場合には、１０：００に対応してエッジ１８２Ｇが形成され、０：００丁度に終わる場合にはその部分にエッジ１８２Ｆを形成する。
　　　【００４７】
　図１９（Ｂ）の表示例では、タイトル部１８２Ａの両端部にはエッジは設けられていない。つまりこの場合には、タイトル部１８１Ａで示している番組タイトルの番組は、継続して放送されている状態である。
　図１９（Ｃ）では、ＰＭ１０：００から始まって１０：０１または１０：０２に終わる場合の番組は、すなわち直後の番組が１分間または２分間の場合には、２ドットで表示するが、番組名は表示しない。同様にして１１：５８または１１：５９に始まる番組の場合には、２ドットで表示するが、直前の番組が１分間または２分間の場合であるので、番組名は表示しない。」
の記載があり、例えば、番組名表示部のタイトル部の端部において、当該タイトル部の端部に沿って、エッジを設けたもの（図１９Ａ）と設けないもの（図１９Ｂ）を採用することにより、放送が継続されるか否か判別可能としているものであることが理解できる。すなわち、放送が継続されるか否か判別するため、タイトル部の端部の表示の形態を変えたものといえる。
　原査定の拒絶の理由で引用された刊行物６（特開平９−２８４６７０号公報、特に、請求項７、第６図、第７図等参照）、刊行物７（国際公開第９６／０９７２１号、特に、明細書１３頁、ＦＩＧ．５ｃ等参照）、刊行物８（国際公開第９６／３１９８０号、特に、明細書２２頁、ＦＩＧ．４等参照）には、電子番組表のタイトル表示部が、当該タイトルで表される番組の放送時間に応じた長さの枠で区切られたものにおいて、上記番組が、表示されたタイトル表示部の時間枠を超えて継続する場合とそうでない場合とで、上記タイトル表示部の端部の表示の形態をそれぞれ変えることにより、上記番組が時間枠を超えて継続するか否かを視覚的に判別可能とする技術思想が記載されている。
　すなわち、番組タイトル等番組内容を表示する番組表の表示において、放送が継続される場合と継続されない場合とで、タイトル部の端部の表示の形態を変えることは本件特許出願前周知の技術事項であったといえる。
　一方、引用発明も、所定の表示領域に、表示可能な時間に対応する部分の番組表を表示するものであるから、上記表示された番組表の枠を超えて番組が存在することがあること（すなわち、番組が継続する場合があること。）は明らかであり、引用発明において、上記周知の技術事項を適用し、放送が継続される場合とそうでない場合とで、タイトル部の端部の表示の形態を変えるようにすることは当業者が格別の困難性無くなしえたことである。
　また、番組表のタイトル部は、タイトルの情報を表示するのであるから、表示の形態を変えるにあたり、タイトルの表示の妨げとならないような表示の形態とすることは、番組内容表示制御装置を設計する際、当業者が普通に考慮することであり、そうすると、タイトル部の端部の表示形態として、エッジを設ける、設けないという表示の形態を採用することや、それらの形態のうちいずれを、番組が継続する場合、番組が継続しない場合に対応させるかは、番組内容表示制御装置を設計するにあたり、当業者が適宜なし得た設計的事項である。
　出願人は意見書にて
「一方、本願発明は、明細書の段落００４７の記載および図１９に示されているように、番組が継続する場合は、タイトル部１８２Ａの端部にはエッジを設けずに表示します。エッジに関しては段落００４４に図１７を用いて説明されております。段落００４４の記載によると、タイトル部１８２Ａは番組名表示エリア１８２Ｂを有しており、ここに番組名が表示されます。また「放送時間の長さを表す部分１８２Ｃ」は、図１７からわかるように番組名表示エリア１８２Ｂの外側に２ドット分広く表示されています。また段落００４５には「一つの番組は、エッジの部分を含めて放送時間の長さを表す」と記載されています。つまり、番組表示エリア１８２Ｂと「放送時間の長さを表す部分１８２Ｃ」の間の２ドットの領域がエッジに対応します。
　エッジは２ドットで表示されるので、番組のタイトルを表示する番組名表示エリア１８２Ｂの領域を狭くせずに、番組が継続することを示す表示が可能になります。
　しかし、上記のように引用文献６〜８に記載の発明では、番組が継続する場合、本願発明の「タイトル部」に相当する領域の端部は、矢印状の形状が表示さます。したがって、タイトルを表示する領域が狭くなります。
　つまり、補正後の本願の請求項１に記載の発明は引用文献６〜８に記載の発明と比較して、番組が継続する場合は、タイトル部の端部にエッジを設けずに表示する点で相違しています。この相違による効果として、タイトルを表示する領域を狭くせずにタイトル部を表示できるという効果を奏します。」
　と主張しているが、上記したとおり、番組表のタイトル部は、タイトルの情報を表示するのであるから、表示の形態を変えるにあたり、タイトルの表示の妨げとならないような表示の形態とすることは、番組内容表示制御装置を設計する際、当業者が普通に考慮することであり、そうすると、タイトル部の端部の表示形態として、エッジを設ける、設けないという表示の形態を採用することや、それらの形態のうちいずれを、番組が継続する場合、番組が継続しない場合に対応させるかは、番組内容表示制御装置を設計するにあたり、当業者が適宜なし得た設計的事項である。
　したがって、引用発明において、前記タイトル部で表示されている番組が継続して放送される場合、前記タイトル部の端部にエッジを設けずに表示するように制御する構成を採用することは当業者が容易になしえたことである。
　
キ．効果
　上記相違点１ないし４に係る本件補正発明の構成は、いずれも当業者が容易に想到し得たものであるところ、上記各相違点を総合しても格別の作用効果を奏するものとはいえず、本件補正発明を全体としてみても、その作用効果は、刊行物１ないし８及び周知技術から当業者が予測できる範囲のものであり、格別顕著であるとは認めることはできない。
　
ク．まとめ（独立特許要件）
　以上によれば、本件補正発明は、刊行物１ないし８に記載された発明及び周知技術に基づいて当業者が容易に発明をすることができたものであるから、特許法第２９条第２項の規定により、特許出願の際独立して特許を受けることができない。
　
　したがって、本件補正は、平成１８年法律第５５号改正附則第３条第１項によりなお従前の例とされる同法による改正前の特許法第１７条の２第５項において準用する同法第１２６条第５項の規定に適合しない。
 　
（４）むすび
　以上のとおり、本件補正は、平成１８年法律第５５号改正附則第３条第１項によりなお従前の例とされる同法による改正前の特許法第１７条の２第５項において準用する同法第１２６条第５項の規定に違反するものであるから、同法第１５９条第１項の規定において読み替えて準用する同法第５３条第１項の規定により却下すべきものである。
　
第三　本願発明
　
　平成１９年１０月１日付けの手続補正は上記のとおり却下されたので、本願の請求項１ないし１４に係る発明は、平成１９年６月１８日付け手続補正書により補正された特許請求の範囲の請求項１ないし１４に係る発明のとおりであるところ、そのうち、請求項１に係る発明（以下「本願発明」という）は、平成１９年６月１８日付け手続補正書により補正された特許請求の範囲の請求項１に記載された事項により特定される、以下のとおりのものである。
　
【請求項１】　
　番組データの内の現在放送中の番組のタイトルを示す現在番組表と、所定の期間内に放送する番組のタイトルを示す所定期間番組表とを選択的に表示させ、
　現在番組表と所定期間番組表にはそれぞれチャンネルをソートするためのチャンネル条件設定部と番組のジャンルをソートするためのジャンル設定部を備えるように表示手段に表示するように制御する表示制御手段と、
　前記チャンネル条件設定部に表示された複数のチャンネルを含む複数の項目の中から１つの項目を、または、前記ジャンル設定部に表示された複数のジャンルの項目の中から１つの項目を、ソートするため選択する選択手段、
を備えることを特徴とする番組内容表示装置。
　
第四　査定の検討
１．刊行物に記載された発明
　刊行物１には、上記第二の２．（３）イ．の事項が記載されており、刊行物１に記載された発明として、上記第二の２．（３）ウ．（オ）の「引用発明」を認定することができる。
　
２．対比
　
　「番組名を表示するためのタイトル部を有する番組名表示部」、「前記表示制御手段は、前記タイトル部で表示されている番組が継続して放送される場合、前記タイトル部の端部にエッジを設けずに表示するように制御する」に関する事項を除き、上記第二の２．（３）エ．の対比を援用する。
　
３．一致点、相違点
 　
《一致点》
　番組データの内の所定の期間内に放送する番組のタイトルを示す所定期間番組表を表示させ、
　所定期間番組表に、設定した条件により番組表に表示する番組名をソートするための設定部を備えるように表示手段に表示するように制御する表示制御装置と、
　表示された設定部を、番組の表示をソートするために操作する操作手段と、
を備える、
　番組内容表示装置。 　
　
《相違点》
（ア）相違点１
　本願発明は、「番組データの内の現在放送中の番組のタイトルを示す現在番組表と、所定の期間内に放送する番組のタイトルを示す所定期間番組表とを選択的に表示させ」るものであるのに対し、引用発明は、「番組データの内の現在放送中の番組のタイトルを示す現在番組表」を表示することが無く、したがって、二つの番組表（番組データの内の現在放送中の番組のタイトルを示す現在番組表と、所定の期間内に放送する番組のタイトルを示す所定期間番組表）を選択的に表示させる構成を有していない点。
（イ）相違点２
　本願発明は、上記「所定期間番組表に」、「設定した条件により番組表に表示する番組名をソートするための設定部」が「現在番組表と所定期間番組表には」、「それぞれチャンネルをソートするためのチャンネル条件設定部と番組のジャンルをソートするためのジャンル設定部」であるのに対し、引用発明は「所定期間番組表に」、「カテゴリー設定ボタン」である点。
（ウ）相違点３
　本願発明の「表示された設定部」、「操作する操作手段」は、それぞれ、「前記チャンネル条件設定部に表示された複数のチャンネルを含む複数の項目の中から１つの項目を、または、前記ジャンル設定部に表示された複数のジャンルの項目の中から１つの項目」、「選択する選択手段」であるのに対し、
　引用発明の「表示された設定部」、「操作する操作手段」は、それぞれ、「表示されたカテゴリー設定ボタン」、「指定する指定手段」である点。
　
４．判断
　上記相違点についての判断は、上記第二の２．（３）カ．（ア）および（イ）と同様である。
　
５．効果
　上記相違点１ないし３に係る本願発明の作用効果は、刊行物１ないし８及び周知技術から当業者が予測できる範囲のものであり、格別顕著であるとは認めることはできない。
　
６．まとめ（査定の検討）
　したがって、本願発明は、刊行物１ないし８に記載された発明及び周知技術に基づいて当業者が容易に発明をすることができたものである。
　
第五　むすび
　以上のとおり、本願の請求項１に係る発明は、刊行物１ないし８に記載された発明及び周知技術に基づいて当業者が容易に発明をすることができたものであるから、特許法第２９条第２項の規定により特許を受けることができない。
　したがって、本願は、残る請求項２ないし１４に係る発明について検討するまでもなく、拒絶をすべきものである。
　よって、結論のとおり審決する。